(57)【特許請求の範囲】
【請求項１】
合成樹脂製筐体の操作部キートップの部分に開口部を設け、前記開口部に金属製キートップを配し操作するスイッチ装置を備えた電子機器において、前記合成樹脂製筐体内に配されているプリント回路基板の前記金属製キートップの中央部と対向する位置の１箇所にアースパターンを配し、前記アースパターン上に前記金属製キートップをアースに落とすためのアース用導体としての金属線材からなるコイルスプリングを設置し、前記コイルスプリングの上端を前記金属製キートップの中央部の１箇所に常時押し当て、前記コイルスプリングを前記金属製キートップを押圧操作後の操作状態から押圧操作前の初期状態に戻す復帰スプリングとして機能させるように構成した電子機器であって、前記スイッチ装置は、前記金属製キートップと、前記コイルスプリングと、前記プリント回路基板上の前記コイルスプリングを中心とする９０度間隔の４方向の位置にそれぞれ配され前記金属製キートップの前記中央部を取り囲む周辺部と対向する４個のプッシュスイッチと、前記コイルスプリングが貫通する貫通孔を有し前記プリント回路基板上に載置され前記各プッシュスイッチと対向する位置の４箇所にそれぞれ上向きに膨出したクリック部を形成するキーパッドとを備え、前記各クリック部の頂部には、下方の前記プッシュスイッチを押圧操作可能な下向き突起と、上方の前記金属製キートップの前記周辺部の１箇所に先端を当接する上向き突起とが形成され、前記４方向に対応する前記金属製キートップの前記周辺部の位置の４箇所をそれぞれ押圧し、それぞれの方向に前記金属製キートップを傾倒操作することで、それぞれの方向の前記クリック部を介してそれぞれの方向の前記プッシュスイッチを押圧しオンにするように構成したことを特徴とする電子機器。
【請求項２】
前記コイルスプリングには、その下部のコイル径よりも上部のコイル径を小さくして外周部に上向き段差面を形成し、前記キーパッドの前記貫通孔は、前記コイルスプリングの下部の前記大径部が貫通可能な孔径を有し、前記キーパッドは、前記貫通孔の縁部を垂直方向に立ち上げて筒状部を形成し、前記筒状部の上端には、前記コイルスプリングの前記上向き段差面と係合し上部の前記小径部のみ前記筒状部の上端上方に突出するように内向きに張り出したフランジ状の抜け止め部を形成したことを特徴とする請求項１に記載の電子機器。
【請求項３】
前記金属製キートップは、表面にアルマイト処理部を有するアルミニウムからなり、前記コイルスプリングの前記上端を押し当てる前記金属製キートップの中央部の１箇所には、酸化被膜の存在しないアルミニウム露出部を有し、そのアルミニウム露出部で、前記コイルスプリングとの導通を得たことを特徴とする請求項１又は請求項２に記載の電子機器。
【請求項４】
請求項１乃至請求項３の何れか１項に記載の電子機器を備えたヘッドセットであって、前記プリント回路基板上に構成されている電子回路による近距離無線通信手段と、前記スイッチ装置による手元操作手段と、前記プリント回路基板から前記筐体外に延出されている左右のイヤホンコードと、前記左右のイヤホンコードの末端に取り付けられている左右のイヤホンユニットと、前記左右のイヤホンユニットのうち、一方のイヤホンコード上に配されているマイクユニットとを備え、前記近距離無線通信手段で、接続対象機器と接続することを特徴とするヘッドセット。
【請求項５】
合成樹脂製筐体の操作部キートップの部分に開口部を設け、前記開口部に金属製キートップを配し操作するスイッチ装置を備えた電子機器において、前記合成樹脂製筐体内に配されているプリント回路基板の前記金属製キートップの中央部と対向する位置の１箇所にアースパターンを配し、前記アースパターン上に前記金属製キートップをアースに落とすためのアース用導体としての金属線材からなるコイルスプリングを設置し、前記コイルスプリングの上端を前記金属製キートップの中央部の１箇所に常時押し当て、前記コイルスプリングを前記金属製キートップを押圧操作後の操作状態から押圧操作前の初期状態に戻す復帰スプリングとして機能させるように構成した電子機器であって、前記スイッチ装置は、前記金属製キートップと、前記コイルスプリングと、前記プリント回路基板上の前記コイルスプリングを中心とする９０度間隔の４方向の位置にそれぞれ配され前記金属製キートップの前記中央部を取り囲む周辺部と対向する４個のプッシュスイッチと、前記コイルスプリングが貫通する貫通孔を有し前記プリント回路基板上に載置され前記各プッシュスイッチと対向する位置の４箇所にそれぞれ上向きに膨出したクリック部を形成するキーパッドとを備え、前記各クリック部の頂部には、下方の前記プッシュスイッチを押圧操作可能な下向き突起と、上方の前記金属製キートップの前記周辺部の１箇所に先端を当接する上向き突起とが形成され、前記４方向に対応する前記金属製キートップの前記周辺部の位置の４箇所をそれぞれ押圧し、それぞれの方向に前記金属製キートップを傾倒操作することで、それぞれの方向の前記クリック部を介してそれぞれの方向の前記プッシュスイッチを押圧しオンにするように構成した電子機器であって、
前記金属製キートップは、表面にアルマイト処理が施されたアルミニウムからなり、前記コイルスプリングの前記上端を押し当てる前記金属製キートップの中央部の１箇所には、酸化被膜を除去したアルミニウム露出部を形成し、そのアルミニウム露出部で、前記コイルスプリングとの導通を得ることを特徴とする電子機器の製造方法。
【発明の詳細な説明】
【技術分野】
【０００１】
本発明は、合成樹脂製（絶縁性）筐体の操作部キートップの部分に開口部を設け、そこに金属製（導電性）キートップを配し操作するスイッチ装置を備えた電子機器、及びそれを備えたヘッドセット、電子機器の製造方法に関するものである。
【背景技術】
【０００２】
この種の電子機器では、金属製キートップを合成樹脂製筐体内に配されているプリント回路基板のアースパターンに接続し、プリント回路基板に実装されている電子部品（ＩＣ等の半導体部品）を人体からの静電気放電（ESD：Electro  Static  Discharge）による破壊から守る必要がある。いわゆるＥＳＤ対策を施す必要がある。
【０００３】
従来、特許文献１において、合成樹脂製キャビネット（合成樹脂製筐体）の表面に電子機器の質感向上を目的とし装着されている金属製パネルを、アースに落とすための電子機器のアースが提案されている。そこでは、金属製パネルと合成樹脂製キャビネット内に配されている回路基板のアースパターンとの間を金属線材からなるコイルスプリングで接続する。
【先行技術文献】
【特許文献】
【０００４】
【特許文献１】特開平５−２３４６２５号公報
【発明の概要】
【発明が解決しようとする課題】
【０００５】
上記従来技術は、アースに落とす金属部材が合成樹脂製筐体の表面に電子機器の質感向上を目的とし装着されている金属製パネルのため、その直下にアース用導体のコイルスプリングを設置し、この短い導体を通してアースに落とすことが容易にでき、また、金属製パネルは動かない固定体のため、コイルスプリングとの接触を容易、かつ、確実に確保でき、確保した接触も確実に維持でき、接触不良の問題もなく確実にアースに落とすことができる。
【０００６】
しかし、アースに落とす金属部材が合成樹脂製筐体の操作部キートップの部分に設けられた開口部に配し操作するスイッチ装置の金属製キートップになると、アース用導体のコイルスプリングは、少なくとも金属製キートップの直下を避けて設置する必要があり、そのために、導体が長くなるばかりでなく、コイルスプリングの設置スペースを特別に確保する必要があり、また、金属製キートップは可動体のため、その直下を避けて設置するコイルスプリングとの接触を確保すること自体が難しくなる。
【０００７】
したがって、合成樹脂製筐体の表面に電子機器の質感向上を目的とし装着されている金属製パネルとは異なり、合成樹脂製筐体の操作部キートップの部分に設けられた開口部に配し操作するスイッチ装置の金属製キートップの場合、容易に、かつ、確実にアースに落とすことができないという問題がある。
【０００８】
本発明は、上記問題点に鑑みてなされたもので、その目的は、合成樹脂製筐体の操作部キートップの部分に設けられた開口部に配し操作するスイッチ装置の金属製キートップを容易に、かつ、確実にアースに落とすことができる電子機器、及びそれを備えたヘッドセットを提供することにある。
【課題を解決するための手段】
【０００９】
上記課題を解決するための本発明の請求項１に記載の電子機器は、合成樹脂製筐体の操作部キートップの部分に開口部を設け、前記開口部に金属製キートップを配し操作するスイッチ装置を備えた電子機器において、前記金属製キートップをアースに落とすためのアース用導体としての金属線材からなるコイルスプリングを前記スイッチ装置の１部品として使用することで、前記金属製キートップの直下に前記コイルスプリングを配し、前記金属製キートップを容易に、かつ、確実にアースに落とすという目的を達成するものである。
具体的には、合成樹脂製筐体の操作部キートップの部分に開口部を設け、前記開口部に金属製キートップを配し操作するスイッチ装置を備えた電子機器において、前記合成樹脂製筐体内に配されているプリント回路基板の前記金属製キートップの中央部と対向する位置の１箇所にアースパターンを配し、前記アースパターン上に前記金属製キートップをアースに落とすためのアース用導体としての金属線材からなるコイルスプリングを設置し、前記コイルスプリングの上端を前記金属製キートップの中央部の１箇所に常時押し当て、前記コイルスプリングを前記金属製キートップを押圧操作後の操作状態から押圧操作前の初期状態に戻す復帰スプリングとして機能させるように構成した電子機器であって、前記スイッチ装置は、前記金属製キートップと、前記コイルスプリングと、前記プリント回路基板上の前記コイルスプリングを中心とする９０度間隔の４方向の位置にそれぞれ配され前記金属製キートップの前記中央部を取り囲む周辺部と対向する４個のプッシュスイッチと、前記コイルスプリングが貫通する貫通孔を有し前記プリント回路基板上に載置され前記各プッシュスイッチと対向する位置の４箇所にそれぞれ上向きに膨出したクリック部を形成するキーパッドとを備え、前記各クリック部の頂部には、下方の前記プッシュスイッチを押圧操作可能な下向き突起と、上方の前記金属製キートップの前記周辺部の１箇所に先端を当接する上向き突起とが形成され、前記４方向に対応する前記金属製キートップの前記周辺部の位置の４箇所をそれぞれ押圧し、それぞれの方向に前記金属製キートップを傾倒操作することで、それぞれの方向の前記クリック部を介してそれぞれの方向の前記プッシュスイッチを押圧しオンにするように構成したことを特徴とする。
【００１０】
また、請求項２に記載の電子機器は、請求項１に記載の電子機器において、前記コイルスプリングには、その下部のコイル径よりも上部のコイル径を小さくして外周部に上向き段差面を形成し、前記キーパッドの前記貫通孔は、前記コイルスプリングの下部の前記大径部が貫通可能な孔径を有し、前記キーパッドは、前記貫通孔の縁部を垂直方向に立ち上げて筒状部を形成し、前記筒状部の上端には、前記コイルスプリングの前記上向き段差面と係合し上部の前記小径部のみ前記筒状部の上端上方に突出するように内向きに張り出したフランジ状の抜け止め部を形成したことを特徴とする。
【００１１】
また、請求項３に記載の電子機器は、請求項１又は請求項２に記載の電子機器において、前記金属製キートップは、表面にアルマイト処理部を有するアルミニウムからなり、前記コイルスプリングの前記上端を押し当てる前記金属製キートップの中央部の１箇所には、酸化被膜の存在しないアルミニウム露出部を有し、そのアルミニウム露出部で、前記コイルスプリングとの導通を得たことを特徴とする。
【００１２】
また、本発明の請求項４に記載のヘッドセットは、請求項１乃至請求項３の何れか１項に記載の電子機器を備えたヘッドセットであって、前記プリント回路基板上に構成されている電子回路による近距離無線通信手段と、前記スイッチ装置による手元操作手段と、前記プリント回路基板から前記筐体外に延出されている左右のイヤホンコードと、前記左右のイヤホンコードの末端に取り付けられている左右のイヤホンユニットと、前記左右のイヤホンユニットのうち、一方のイヤホンコード上に配されているマイクユニットとを備え、前記近距離無線通信手段で、接続対象機器と接続することを特徴とする。
【００１３】
また、本発明の請求項５に記載の電子機器の製造方法は、合成樹脂製筐体の操作部キートップの部分に開口部を設け、前記開口部に金属製キートップを配し操作するスイッチ装置を備えた電子機器において、前記合成樹脂製筐体内に配されているプリント回路基板の前記金属製キートップの中央部と対向する位置の１箇所にアースパターンを配し、前記アースパターン上に前記金属製キートップをアースに落とすためのアース用導体としての金属線材からなるコイルスプリングを設置し、前記コイルスプリングの上端を前記金属製キートップの中央部の１箇所に常時押し当て、前記コイルスプリングを前記金属製キートップを押圧操作後の操作状態から押圧操作前の初期状態に戻す復帰スプリングとして機能させるように構成した電子機器であって、前記スイッチ装置は、前記金属製キートップと、前記コイルスプリングと、前記プリント回路基板上の前記コイルスプリングを中心とする９０度間隔の４方向の位置にそれぞれ配され前記金属製キートップの前記中央部を取り囲む周辺部と対向する４個のプッシュスイッチと、前記コイルスプリングが貫通する貫通孔を有し前記プリント回路基板上に載置され前記各プッシュスイッチと対向する位置の４箇所にそれぞれ上向きに膨出したクリック部を形成するキーパッドとを備え、前記各クリック部の頂部には、下方の前記プッシュスイッチを押圧操作可能な下向き突起と、上方の前記金属製キートップの前記周辺部の１箇所に先端を当接する上向き突起とが形成され、前記４方向に対応する前記金属製キートップの前記周辺部の位置の４箇所をそれぞれ押圧し、それぞれの方向に前記金属製キートップを傾倒操作することで、それぞれの方向の前記クリック部を介してそれぞれの方向の前記プッシュスイッチを押圧しオンにするように構成した電子機器であって、
前記金属製キートップは、表面にアルマイト処理が施されたアルミニウムからなり、前記コイルスプリングの前記上端を押し当てる前記金属製キートップの中央部の１箇所には、酸化被膜を除去したアルミニウム露出部を形成し、そのアルミニウム露出部で、前記コイルスプリングとの導通を得ることを特徴とする。
【発明の効果】
【００１４】
本発明の電子機器によれば、電子機器の金属製キートップをアースに落とすためのアース用導体としての金属線材からなるコイルスプリングは、合成樹脂製筐体内に配されているプリント回路基板の金属製キートップの中央部と対向する位置の１箇所に配したアースパターン上に設置し、上端を金属製キートップの中央部の１箇所に常時押し当て、金属製キートップの復帰スプリングとして機能させ、スイッチ装置の１部品として使用するので、金属製キートップの直下にコイルスプリングを配し、金属製キートップを容易に、かつ、確実にアースに落とすことができる。また、電子機器の小型化、及びコスト低下を図ることができる。
【００１５】
また、スイッチ装置は、金属製キートップと、コイルスプリングと、プリント回路基板上のコイルスプリングを中心とする９０度間隔の４方向の位置にそれぞれ配され金属製キートップの前記中央部を取り囲む周辺部と対向する４個のプッシュスイッチと、コイルスプリングが貫通する貫通孔を有しプリント回路基板上に載置され各プッシュスイッチと対向する位置の４箇所にそれぞれ上向きに膨出したクリック部を形成するキーパッドとを備え、各クリック部の頂部には、下方のプッシュスイッチを押圧操作可能な下向き突起と、上方の金属製キートップの周辺部に先端を当接する上向き突起とが形成され、４方向に対応する金属製キートップの周辺部の位置の４箇所をそれぞれ押圧し、それぞれの方向に金属製キートップを傾倒操作することで、それぞれの方向のクリック部を介してそれぞれの方向のプッシュスイッチを押圧しオンにするように構成したので、コイルスプリングを中心とした４方向プッシュスイッチとなり、コイルスプリングは、金属製キートップを常時安定的に支え、キーパッドの各クリック部や各プッシュスイッチのヘタリ等を抑えるスプリングとしても機能し、スイッチ装置のクリック感触、安定性（動作信頼性）、及び耐久性を向上させることができる。
【００１６】
また、コイルスプリングには、その下部のコイル径よりも上部のコイル径を小さくして外周に上向き段差面を形成し、キーパッドの貫通孔は、コイルスプリングの下部の大径部が貫通可能な孔径を有し、キーパッドは、貫通孔の縁部を垂直方向に立ち上げて筒部を形成し、筒部の上端には、コイルスプリングの上向き段差面と係合し上部の小径部のみ筒部の上端上方に突出するように内向きに張り出したフランジ状の抜け止め部を形成した場合、コイルスプリングは、キーパッドの貫通孔に対して抜け止めされ、コイルスプリングの下端が下方のアースパターンから外れたり浮き上がることがなく、アースパターンとの導通をより確実に得ることができる。
【００１７】
また、金属製キートップは、表面にアルマイト処理部を有するアルミニウムからなり、コイルスプリングの上端を押し当てる金属製キートップの中央部の１箇所には、酸化被膜の存在しないアルミニウム露出部を有し、そのアルミニウム露出部で、コイルスプリングとの導通を得た場合、コイルスプリングで、表面にアルマイト処理が施されたアルミニウムからなる金属製キートップをアースに落とすことができ、金属製キートップに耐食性、耐摩耗性の向上、及び装飾その他の機能を容易に付加することができる。
【００１８】
また、本発明のヘッドセットは、請求項１乃至請求項３の何れか１項に記載の電子機器を備えたヘッドセットであって、プリント回路基板上に構成されている電子回路による近距離無線通信手段と、スイッチ装置による手元操作手段と、プリント回路基板から前記合成樹脂製筐体外に延出されている左右のイヤホンコードと、前記左右のイヤホンコードの末端に取り付けられている左右のイヤホンユニットと、左右のイヤホンユニットのうち、一方のイヤホンコード上に配されているマイクユニットとを備え、近距離無線通信手段で、接続対象機器と接続するもので、電子機器がメインユニットとなり、いわゆるＥＳＤ対策を施した上、金属製キートップで、メインユニットの表面の一部を金属面に構成するので、全体の質感向上、及び他社製品との差別化を図ることができる。
【図面の簡単な説明】
【００１９】
【図１】本発明の実施形態に係る電子機器を備えたヘッドセットの外観図
【図２】図１のメインユニット（本発明の実施形態に係る電子機器）の分解平面図
【図３】図１のメインユニットの主スイッチ装置部の断面図
【図４】図２のＡ部拡大図
【発明を実施するための形態】
【００２０】
以下、本発明の実施形態を図面に基づいて説明する。
【００２１】
図１は、本発明の実施形態に係る電子機器を備えたヘッドセットの外観図である。図１において、ヘッドセット１は、メインユニット１０と、左右のイヤホンコード２，３と、左右のイヤホンユニット４，５と、マイクユニット６とから構成されている。
【００２２】
左右のイヤホンコード２，３は、メインユニット１０の略直方体状の合成樹脂製（絶縁性）筐体１１内に配されている後述するプリント回路基板２３に接続され、合成樹脂製筐体１１の上部側面中央部からブッシュ１２を介して外部に延出されており、この左右のイヤホンコード２，３の末端に左右のイヤホンユニット４，５が取り付けられ、右のイヤホンユニット５上にマイクユニット６が配されている。図１において、符号７は、ヘッドセット１に付属のネックアームであり、ヘッドセット１使用者の首に装着することで、その首元に左右のイヤホンコード２，３を保持するものである。
【００２３】
メインユニット１０は、例えばブルートゥース（登録商標）等の近距離無線通信規格による近距離無線通信機能、及び複数のスイッチ装置による手元操作機能（リモートコントロール機能）等を搭載し、また、合成樹脂製筐体１１の上表面の中央部から下部にわたる操作部キートップの部分に設けられた四角形の大きな開口部１３に四角形の大きな金属製（導電性）キートップ１４を配し操作する後述する主スイッチ装置２５を備えており、図示しない携帯電話機やスマートホン等の接続対象機器に無線接続することで、ハンズフリー通話や音楽再生等を行うように構成されている。
【００２４】
主スイッチ装置２５では、金属製キートップ１４の中央部を取り囲む周辺部であって、金属製キートップ１４の中心から真左と真右と真上と真下の４方向の位置の４箇所に、第１，第２，第３，第４の押圧位置Ｗ（west），Ｅ（east），Ｎ（north），Ｓ（south）が設定されており、主スイッチ装置２５は、例えば、メインユニット１０の電源がオフ状態のときに第１の押圧位置Ｗが長押しで押圧操作されることで、メインユニット１０の電源をオンにし、メインユニット１０の電源がオン状態のときに第１の押圧位置Ｗが長押しで押圧操作されることで、メインユニット１０の電源をオフにするように機能する。また、メインユニット１０を接続対象機器に無線接続した状態で、第１の押圧位置Ｗが押圧操作されることで、接続対象機器にかかってきた電話を受けて、左右のイヤホンユニット４，５とマイクユニット６を使用したハンズフリー通話を可能にし、続いて第１の押圧位置Ｗを押圧操作することで、通話を切るように機能する。また、第２の押圧位置Ｅが押圧操作されることで、接続対象機器に格納された音楽データの左右のイヤホンユニット４，５を使用した再生を可能にし、その再生中に、第３の押圧位置Ｎが押圧操作されることで、次の曲を再生し、第３の押圧位置Ｎが長押しで押圧操作されることで、曲を高速で早送りし、一方、第４の押圧位置が押圧操作されることで、曲の頭出しを行い、第４の押圧位置が長押しで押圧操作されることで、曲を高速で巻き戻し、第２の押圧位置Ｅが押圧操作させれることで、再生を停止するように機能する。
【００２５】
メインユニット１０には、通話や音楽再生時にボリュームを大きくしたり小さくしたり調整するためのスイッチ装置１５、通話時の音質を高くしたり低くしたり調整するためのスイッチ装置１６、騒音環境での通話や音楽再生時に騒音のみを消音するアクティブノイズコントロール機能を起動するためのスイッチ装置１７、合成樹脂製筐体１１内に配されている後述する二次電池２４への充電用ジャック１８、メインユニット１０をヘッドセット１使用者の衣服や鞄に掛け止めるために合成樹脂製筐体１１の裏面に着脱可能に取り付けられるクリップ１９等も備えられている。
【００２６】
そして、メインユニット１０が本発明の実施形態に係る電子機器である。
【００２７】
図２は、図１のメインユニットの分解平面図、図３は、メインユニットの主スイッチ装置部の断面図、図４は、図２のＡ部拡大図である。
【００２８】
図２、図３、図４において、メインユニット１０は、その合成樹脂製筐体１１が上ケース１１ａと下ケース１１ｂとから構成されており、その上ケース１１ａに開口部１３が設けられている。また、例えばブルートゥース等の近距離無線通信用のＩＣ２０、及び手元操作用のＩＣ２１を含む複数のＩＣ（半導体部品）、抵抗器、コンデンサー等の多数の電子部品２２を表面に実装し、その各電子部品２０，２１，２２の相互間を導体パターン（配線）で接続することで、ヘッドセット１機能を実現する電子回路を構成した四角形のプリント回路基板（ＰＣＢ）２３が、図示しない基板ホルダで下から支えられて、各電子部品２０，２１，２２の実装面を下にした状態で、合成樹脂製筐体１１内の上部に固定取り付けされていると共に、例えばリチウムイオン二次電池等からなる略直方体状の二次電池（バッテリー）２４が、合成樹脂筐体１１内の基板ホルダ下の下部に収納されている。
【００２９】
また、メインユニット１０では、合成樹脂製筐体１１の上表面の中央部から下部にわたる操作部キートップの部分に設けられた四角形の大きな開口部１３に四角形の大きな金属製キートップ１４を配し操作する主スイッチ装置２５を備えていることに伴い、金属製キートップ１４を合成樹脂筐体１１内に配されているプリント回路基板２３のアースパターン２６に接続し、プリント回路基板２３に実装されている電子部品２０，２１，２２（ＩＣ等の半導体部品）を人体からの静電気放電（ESD：Electro  Static  Discharge）による破壊から守る必要がある。いわゆるＥＳＤ対策を施す必要がある。そのために、メインユニット１０は、金属製キートップ１４をアースに落とす（プリント回路基板２３のアースパターン２６に接続すること。）ためのアース用導体としての例えばステンレス等の金属線材からなるコイルスプリング２７を備えている。
【００３０】
メインユニット１０では、金属製キートップ１４をアースに落とすためのアース用導体としての金属線材からなるコイルスプリング２７を主スイッチ装置２５の１部品として使用することで、金属製キートップ１４の直下にコイルスプリング２７を配し、金属製キートップ１４を容易に、かつ、確実にアースに落とすように構成している。
【００３１】
そのために、メインユニット１０は、合成樹脂製筐体１１内に配されているプリント回路基板２３の金属製キートップ１４の中央部であって、金属製キートップ１４の中心部と対向する位置の１箇所にアースパターン２６を配し、そのアースパターン２６上に金属製キートップ１４をアースに落とすためのアース用導体としての金属線材からなるコイルスプリング２７を垂直に設置し、そのコイルスプリング２７の上端を金属製キートップ１４の中央部の１箇所であって、金属製キートップ１４の中心部に下方から常時押し当て、コイルスプリング２７を金属製キートップ１４を押圧操作後の操作状態から押圧操作前の初期状態に戻す復帰スプリングとして機能させるように構成している。なお、本実施形態の金属製キートップ１４の中心は、金属製キートップ１４の重心にもなっている。
【００３２】
金属製キートップ１４は、金属薄板の打ち抜き加工で形成されており、略四角平板状の被押圧部１４ａと、その被押圧部１４ａの外周縁部から下向きに突出した四角筒状の周壁部１４ｂと、その周壁部１４ｂの下端部から外向きに張り出した四角枠状の鍔部１４ｃとを有し、被押圧部１４ａの中央部下面であって、被押圧部１４ａの中心部下面にコイルスプリング２７の上端が下方から常時押し当てられて、コイルスプリング２７によって常時上方向に付勢されている。そして、第１，第２，第３，第４の押圧位置Ｗ，Ｅ，Ｎ，Ｓの何れもが押圧操作されていないときは、鍔部１４ｃの全周が上ケース１１ａの開口部３の口縁部に下方から当接係合することで、被押圧部１４ａの上面（被押圧面）が上ケース１１ａの開口部１３の周囲上面と略同一平面内に配される初期状態（水平姿勢）に保持され、第１，第２，第３，第４の押圧位置Ｗ，Ｅ，Ｎ，Ｓの何れかが押圧されると、その押圧位置に応じたそれぞれの方向に傾倒操作され、次にその押圧位置への押圧を解除すると、初期状態に戻される。なお、第１，第２，第３，第４の押圧位置Ｗ，Ｅ，Ｎ，Ｓの近傍を押圧しても、金属製キートップ１４は、それぞれの方向に傾倒操作される。
【００３３】
このように、メインユニット１０の金属製キートップ１４をアースに落とすためのアース用導体としての金属線材からなるコイルスプリング２７は、合成樹脂製筐体１１内に配されているプリント回路基板２３の金属製キートップ１４の被押圧部１４ａの中央部であって、金属製キートップ１４の被押圧部１４ａの中心部と対向する位置の１箇所に配したアースパターン２６上に垂直に設置し、上端を金属製キートップ１４の中央部下面であって、金属製キートップ１４の中心部下面の１箇所に常時押し当て、金属製キートップ１４の復帰スプリングとして機能させ、スイッチ装置２５の１部品として使用することで、金属製キートップ１４の被押圧部１４ａの中央部であって、金属製キートップ１４の被押圧部１４ａの中心部の直下にコイルスプリング２７を配し、金属製キートップ１４を容易に、かつ、確実にアースに落とすことができる。また、メインユニット１０の小型化、及びコスト低下を図ることができる。
【００３４】
また、合成樹脂製筐体１１の上表面の中央部から下部にわたる操作部キートップの部分に設けられた四角形の大きな開口部１３に四角形の大きな金属製キートップ１４を配し操作すると共に、金属製キートップ１４をアースに落とすためのアース用導体としての金属線材からなるコイルスプリング２７を金属製キートップ１４の復帰スプリングとして使用するスイッチ装置２５は、金属製キートップ１４と、コイルスプリング２７とを備えると共に、プリント回路基板２３上のコイルスプリング２７を中心とする９０度間隔の４方向であって、コイルスプリング２７から真左と真右と真上と真下の４方向の位置にそれぞれ配され金属製キートップ１４の被押圧部１４ａの中央部を取り囲む被押圧部１４ａの周辺部に設定された第１，第２，第３，第４の押圧位置Ｗ，Ｅ，Ｎ，Ｓと対向する４個の第１，第２，第３，第４のプッシュスイッチ２８，２９，３０，３１と、金属製キートップ１４と略同じ大きさ、形状に形成されて４個の第１，第２，第３，第４のプッシュスイッチ２８，２９，３０，３１を一括に覆うことができ、中央部であって、中心部にはコイルスプリング２７が貫通する円形の貫通孔３２を有し、プリント回路基板２３上に載置固定され、各プッシュスイッチ２８，２９，３０，３１と対向する位置の４箇所にそれぞれ上向きに膨出した薄形ドーム状の第１，第２，第３，第４のクリック部３３，３４，３５，３６を形成するシリコーンゴム製のキーパッド３７とを備え、各クリック部３３，３４，３５，３６の平坦な頂部には、下方のプッシュスイッチ２８，２９，３０，３１を押圧操作可能な下窄まりの略円錐台形の下向き突起３８と、上方の金属製キートップの周辺部に平坦な先端面を当接する略円柱状の上向き突起３９とが形成され、４方向に対応する金属製キートップ１４の被押圧部１４ａの周辺部の第１，第２，第３，第４の押圧位置Ｗ，Ｅ，Ｎ，Ｓの４箇所をそれぞれ押圧し、それぞれの方向に金属製キートップ１４を傾倒操作することで、それぞれの方向の第１，第２，第３，第４のクリック部３３，３４，３５，３６を介してそれぞれの方向の第１，第２，第３，第４のプッシュスイッチ２８，２９，３０，３１を押圧しオンにするように構成している。
【００３５】
金属製キートップ１４を仮に取り除いた場合、コイルスプリング２７は、キーパッド３７の各上向き突起３９の先端よりも上方に飛び出すような自由長さを有し、上端を金属製キートップ１４の被押圧部１４ａの中央部下面であって、金属製キートップ１４の被押圧部１４ａの中心部下面に下方から常時押し当て、金属製キートップ１４を常時上方向に付勢できるように構成されている。
【００３６】
このようなスイッチ装置２５は、コイルスプリング２７を中心とした４方向プッシュスイッチとなり、コイルスプリング２７は、金属製キートップ１４を常時安定的に支え、キーパッド３７の各クリック部３３，３４，３５，３６や各プッシュスイッチ２８，２９，３０，３１のヘタリ等を抑えるスプリングとしても機能し、スイッチ装置２５のクリック感触、安定性（動作信頼性）、及び耐久性を向上させることができる。
【００３７】
各プッシュスイッチ２８，２９，３０，３１は、それぞれ、下面に粘着剤が設けられた粘着シート４０と、例えばステンレスやリン青銅等のバネ性を有するドーム状の薄板金属からなり、頂部からの押圧力に対してクリック感触を伴って、変位可能なスナッププレート４１と、プリント回路基板２３の各プッシュスイッチ２８，２９，３０，３１の設置面に形成された図示しない中央固定接点パターン、及び周辺固定接点パターンとで構成されている。粘着シート４０の下面にスナッププレート４１の上面が貼着され、スナッププレート４１と各固定接点パターンとを対向させた状態で、スナッププレート４１の周囲にある粘着シート４０の下面がプリント回路基板２３に貼着されている。スナッププレート４１は、下端部周縁部が周辺固定接点パターンに常時接触すると共に、ドーム状の頂部が中央固定接点パターンと間隔を置いて対向した状態で、プリント回路基板２３に載置固定された状態となっている。スナッププレート４１の上方の粘着シート４０が押圧されると、スナッププレート４１の上部が凹状に反転し中央固定接点パターンと接触した状態となり、スナッププレート４１を介して中央固定接点パターンと周辺固定接点パターン間をオンにし、押圧を解除すると、スナッププレート４１の上部が中央固定接点パターンから離れ、中央固定接点パターンと周辺固定接点パターン間をオフにするようになっている。
【００３８】
また、コイルスプリング２７には、その下部のコイル径よりも上部のコイル径を小さくして外周に上向き段差面２７ｃを形成し、キーパッド３７の貫通孔３２は、コイルスプリング２７の下部の大径部２７ａが貫通可能な孔径を有し、キーパッド３７は、貫通孔３２の縁部を垂直方向に立ち上げて円筒状部４２を形成し、円筒状部４２の上端には、コイルスプリング２７の上向き段差面２７ｃと係合し上部の小径部２７ｂのみ円筒状部４２の上端上方に突出するように内向きに張り出したフランジ状の抜け止め部４２ａを形成している。
【００３９】
このような構成において、コイルスプリング２７は、キーパッド３７の貫通孔３２に対して抜け止めされ、コイルスプリング２７の下端が下方のアースパターン２６から外れたり浮き上がることがなく、アースパターン２６との導通をより確実に得ることができる。
【００４０】
金属製キートップ１４の被押圧部１４ａの周辺部の第１，第２，第３，第４の押圧位置Ｗ，Ｅ，Ｎ，Ｓの４箇所をそれぞれ押圧し、それぞれの方向に金属製キートップ１４を傾倒操作することで、それぞれの方向の第１，第２，第３，第４のクリック部クリック部３３，３４，３５，３６を介してそれぞれの方向の第１，第２，第３，第４のプッシュスイッチ２８，２９，３０，３１を押圧しオンにしたときに、円筒状部４２は、その上端と金属製キートップ１４の被押圧部１４ａの下面との間に隙間を設ける高さに設定されており、このような構成においても、コイルスプリング２７は、その上端を金属製キートップ１４の被押圧部１４ａの中央部下面であって、金属製キートップ１４の被押圧部１４ａの中心部下面に下方から常時押し当て、金属製キートップ１４を常時上方向に付勢できるようになっている。
【００４１】
また、金属製キートップ１４は、表面にアルマイト処理が施されたアルミニウムからなり、コイルスプリング２７の上端を押し当てる金属製キートップ１４の被押圧部１４ａの中央部下面であって、金属製キートップ１４の被押圧部１４ａの中心部下面の１箇所には、酸化被膜１４ｄを例えばレーザーエッチング加工等により除去したアルミニウム露出部１４ｅを形成し、このアルミニウム露出部１４ｅで、コイルスプリング２７との導通を得ている。
【００４２】
このような構成において、コイルスプリング２７が、表面にアルマイト処理が施されたアルミニウムからなる金属製キートップ１４をアースに落とすことができ、金属製キートップ１４に耐食性、耐摩耗性の向上、及び装飾その他の機能を容易に付加することがきる。
【００４３】
そして、本実施形態のメインユニット１０を備えたヘッドセット１においては、プリント回路基板２３上に構成されている電子回路による近距離無線通信手段と、主スイッチ装置２５等による手元操作手段と、プリント回路基板２３から合成樹脂製筐体１１外に延出されている左右のイヤホンコード２，３と、左右のイヤホンコード２，３の末端に取り付けられている左右のイヤホンユニット４，５と、左右のイヤホンユニット４，５のうち、一方のイヤホンコード５上に配されているマイクユニット６とを備え、近距離無線通信手段で、接続対象機器と接続するもので、いわゆるＥＳＤ対策を施した上、金属製キートップ１４で、メインユニット１０の表面の一部を金属面に構成するので、全体の質感向上、及び他社製品との差別化を図ることができる。
【００４４】
以上、本発明の実施形態を説明したが、本発明はそれに限定されず本発明の要旨を変更しない範囲内で種々変更実施することができる。
【符号の説明】
【００４５】
１  ヘッドセット
２，３  イヤホンコード
４，５  イヤホンユニット
６  マイクユニット
１０  メインユニット（電子機器）
１１  合成樹脂製筐体
１３  開口部
１４  金属製キートップ
１４ｄ  酸化被膜
１４ｅ  アルミニウム露出部
２３  プリント回路基板
２５  主スイッチ装置（スイッチ装置）
２６  アースパターン
２７  コイルスプリング
２７ａ  大径部
２７ｂ  小径部
２７ｃ  上向き段差面
２８，２９，３０，３１  第１，第２，第３，第４のプッシュスイッチ
３２  貫通孔
３３，３４，３５，３６  第１，第２，第３，第４のクリック部
３７  キーパッド
３８  下向き突起
３９  上向き突起
４２  円筒状部（筒状部）
【図１】
0005898893.tif 000002
【図２】
0005898893.tif 000003
【図３】
0005898893.tif 000004
【図４】
0005898893.tif 000005